(57)【要約】      （修正有）【課題】身体のかゆい部位に当ててかゆみを止めたり、額に当てて熱を下げたり、冷却した後身体のばてた部位に当てて体調を良好にしたり、瞼の上部に乗せてから顳へと移動して目の疲労を除去する多目的熱交換器を提供する。【解決手段】熱交換器本体ａは熱伝導性の良いアルミ資材製よりなり、外側壁面部１と上面部２と底面部３を有し、且つ全体形状が円柱形状であったり、もしくは４角柱形状もしくは５角柱形状もしくは６角柱形状もしくは８角柱形状等のいわゆるブロック状の多角柱形状をもって形成し、前記上面部２には、前記上面部２を形成する外周縁部より内側方に傾斜する凹形状部２ａを形成する。また前記熱交換本体ａの前記上面部２の内側中央部に、凹溝５を設ける。【選択図】図１
0003180328.tif 000002
【実用新案登録請求の範囲】
【請求項１】
外側壁面部と上面部と底面部を有する熱伝導性に極めて優れているアルミ資材製円柱形状熱交換器本体もしくはアルミ資材製多角形状多目的熱交換器本体を形成し、前記多目的熱交換器本体を所定の高温水を注入した容器内に入れて蓄熱し取出してタオル等に包み込んで湯たんぽとして使用したり、あるいは前記多目的熱交換器本体を所定時間冷却して、身体のかゆい部位に当ててかゆみを止めたり、あるいは風邪等にかかったときは額に当てて熱を下げたり、あるいは身体のばてた部位に当てて体調を良好にしたり、あるいは目の疲労時に瞼の上部に乗せてから顳へと移動して目の疲労を除去することを特徴とする多目的熱交換器。
【請求項２】
前記多目的熱交換器本体の上面部に、外周縁部より内側方に傾斜する凹形状部を形成せしめることを特徴とする請求項１に記載の多目的熱交換器。
【請求項３】
前記外側壁面部及び底面部に、冷気もしくは熱気放散防止用シートを貼付することを特徴とする請求項１又は同２に記載の多目的熱交換器。
【請求項４】
前記多目的熱交換器本体の上面部に、内側中央部に凹溝を形成することを特徴とする請求項１又は同２又は同３に記載の多目的熱交換器。
【考案の詳細な説明】
【技術分野】
【０００１】
本考案は、多目的熱交換器本体を所定の高温の湯の中に入れ蓄熱して温めタオル等で包み湯たんぽとして使用したり、あるいは多目的熱交換器本体を所定時間冷却して、身体のかゆい部位に当ててかゆみを止めたり、あるいは風邪等にかかったときは額に当てて熱を下げたり、あるいは身体のばてた部位に当てて体調を良好にしたり、あるいは目の疲労時に瞼の上部に乗せてから顳へと移動して目の疲労を除去する多目的熱交換器の分野に関するものである。
【背景技術】
【０００２】
従来、人体患部冷やし具として、実開平２−８４２２号公報が開示されている。
【０００３】
この開示された人体患部冷やし具は、内面側を人体患部に対する接触面とする冷却用体を、熱伝導性の良いアルミニュウム等の金属材料で形成すると共に、当該冷却用体の外面側を、表面積の増大化に基づき放熱面を広くするように形成した放熱用面とし、更に、当該冷却用体にはこれを人体患部に装着するためのベルト等適宜装着手段を設けたものである。
【０００４】
さらに、従来開示の人体患部冷やし具は、人体患部に対する冷却性の向上化をより一層図るために、冷却用体の所要個所に冷水または氷等の冷媒を収容するための冷媒収容室を形成するものである。
また、従来開示の人体患部冷やし具は、ブロック状に形成されたものでなかった。
【先行技術文献】
【特許文献】
【０００５】
【特許文献１】実開平２−８４２２号公開実用新案公報
【考案の概要】
【考案が解決しようとする課題】
【０００６】
本考案が解決しようとする課題は以下のとおりである。
【０００７】
前記した従来開示の公開実用新案公報の人体患部冷やし具は、人体患部を冷やす板状冷却用体（ブロック状ではない）に、ベルト等の装着手段を設けながら、人体の額部分に前記冷却用体を当てた状態で装着しながら使用するものである。
【０００８】
さらに、前記従来開示の人体患部冷やし具は、冷やし専用物品として頭を冷やしたり、捻挫または打ち身を生じた手足等を冷やすようにしたものである。
【０００９】
上記のとおり、従来開示の冷やし冷却用体は、必須要件として装着手段を介し、さらに使用範囲が冷却使用として限定されたものであって、蓄熱し湯たんぽの代用品として腹部を万遍なく温め健康増進に役立てることを目的としたものではない。
【００１０】
しかるに、本考案は、熱伝導性に極めて優れているアルミ資材製の多目的熱交換器本体をブロック状に形成し、所定の高温に蓄熱して温め湯たんぽとしてタオル等で包み使用したり、あるいは多目的熱交換器本体を所定時間冷却して、身体のかゆい部位に当ててかゆみを止めたり、あるいは風邪等引いたたときに冷却した後、額に当てて熱を下げたり、あるいは冷却した後、身体のばてた部位に当てて体調を良好にしたり、あるいは目の疲労時に瞼の上部に乗せてから顳へと移動して目の疲労を除去することを考案の解決する課題としたものである。
さらに、本考案は、前記ブロック状の多目的熱交換器本体内に、湯水もしくは冷却水もしくは氷を収納して使用することは一切なく、前記本体自体を蓄熱もしくは冷却せしめて使用するものである。
【課題を解決するための手段】
【００１１】
課題を解決するための手段として、請求項１に記載の考案は、外側壁面部と上面部と底面部を有する熱伝導性に極めて優れているアルミ資材製円柱形状熱交換器本体もしくはアルミ資材製多角形状の、いわゆるブロック状に多目的熱交換器本体を形成し、前記多目的熱交換器本体を所定の高温水を注入した容器内に入れて蓄熱し取出してタオル等に包み込んで湯たんぽとして使用したり、あるいは前記多目的熱交換器本体を所定時間冷却して、身体のかゆい部位に当ててかゆみを止めたり、あるいは風邪等にかかったときは額に当てて熱を下げたり、あるいは身体のばてた部位に当てて体調を良好にしたり、あるいは目の疲労時に瞼の上部に乗せてから顳へと移動して目の疲労を除去することを特徴とする多目的熱交換器である。
【００１２】
課題を解決するための手段として、請求項２記載の考案は、前記多目的熱交換器本体の上面部が、外周縁部より内側方に傾斜する凹形状部を形成せしめることを特徴とする請求項１に記載の多目的熱交換器である。
【００１３】
課題を解決するための手段として、請求項３記載の考案は、前記外側壁面部及び底面部に、冷気もしくは熱気放散防止用シートを貼付することを特徴とする請求項１又は同２に記載の多目的熱交換器である。
【００１４】
課題を解決するための手段として、請求項４記載の考案は、前記多目的熱交換器本体の上面部が、内側中央部に凹溝を形成することを特徴とする請求項１又は同２又は同３に記載の多目的熱交換器である。
【考案の効果】
【００１５】
請求項１記載の考案は、外側壁面部と上面部と底面部を有する熱伝導性に極めて優れているアルミ資材製円柱形状熱交換器本体もしくはアルミ資材製多角形状の、いわゆるブロック状の多目的熱交換器本体を形成し、前記多目的熱交換器本体を所定の高温水を注入した容器内に入れて蓄熱し取出してタオル等に包み込んで湯たんぽとして使用したり、あるいは前記多目的熱交換器本体を所定時間冷却して、身体のかゆい部位に当ててかゆみを止めたり、あるいは風邪等にかかったときは額に当てて熱を下げたり、あるいは身体のばてた部位に当てて体調を良好にしたり、あるいは目の疲労時に瞼の上部に乗せてから顳へと移動して目の疲労を除去する多目的熱交換器なので、第１に、前記多目的熱交換器本体をカップ中に入れ、約１００℃の湯を注入し、約１分間温めた後取出し、タオル等で包み湯たんぽとして身体の腹部の上を万遍なくなでてやると、胃腸の動きが活発化し、さらに親子のスキンシップを図ることの利点がある。
【００１６】
第２に本考案は、前記多目的熱交換器本体を前記のようにして冷やした後、身体のかゆみの部位に所定時間冷却した多目的熱交換器本体を当ててやると、脳が冷たさを痛さと感じることで、かゆいから掻けという指令をストップさせ、前記身体のかゆい部位のかゆみを止めることができる利点がある。
【００１７】
第３に本考案は、前記多目的熱交換器本体を冷やした保冷剤や氷の上に約１分間乗せ冷たくし、冷やした熱交換器本体を額に当て、所定時間後別に冷やしておいた熱交換器本体を額に当てて、徐々に高熱の額を冷やして短時間に熱冷ましができる利点を有している。
【００１８】
第４に本考案は、予め用意していた氷等の冷やした物体の上に前記熱交換器本体を乗せ冷やしておき、学校等の体育授業等の際に、身体のバテた生徒等の顔や頬に当てておくことによって熱中症を予防ないし熱中症対策ができる。
【００１９】
第５に本考案は、冷やした前記多目的熱交換器を両手で持ち約１分間瞼の上に乗せてから顳へと移動することによって、頭をすっきりさせる利点を有している。
【００２０】
請求項２記載の考案は、前記多目的熱交換器本体の上面部が、外周縁部より内側方に傾斜する凹形状部を形成せしめる多目的熱交換器なので、身体の皮膚にぴったりと密着する。
【００２１】
さらに、前記請求項１記載の考案と同じ効果を有している。
【００２２】
請求項３記載の考案は、前記外側壁面部及び底面部に、冷気もしくは熱気放散防止用シートを貼付する多目的熱交換器なので、熱交換器本体内に蓄えられた熱気もしくは冷気を外部に放散させることなく身体の皮膚へと確実に伝導せしめ、かゆみ止め効果を始め、風邪等を引いたときや、熱中症対策や湯たんぽとしての機能を如何んなく発揮できる利点を有している。
【００２３】
さらに、本考案は前記請求項１記載の考案の効果と同じ効果を有している。
【００２４】
請求項４記載の考案は、前記請求項１記載の考案と同じ効果を有している。
【図面の簡単な説明】
【００２５】
【図１】本考案の多目的熱交換器の斜視図である。
【００２６】
【図２】同熱交換器の縦断正面図である。
【００２７】
【図３】同熱交換器の平面図である。
【００２８】
【図４】同熱交換器の底面図である。
【００２９】
【図５】同熱交換器の正面図である。
【００３０】
【図６】同熱交換器の側面図である。
【考案を実施するための最良の形態】
【００３１】
本考案の請求項１〜４に記載の考案の実施の形態は共通しているので、以下のとおり一括して説明する。
【００３２】
ａは熱伝導性に極めて優れているアルミ資材製熱交換器を形成する多目的熱交換器本体である。
【００３３】
この熱交換器本体aの構造は、外側壁面部１と上面部２と底面部３からなり、且つ全体形状が円柱形状であったり、もしくは４角柱形状もしくは５角柱形状もしくは６角柱形状もしくは８角柱形状等のいわゆるブロック状の多角柱形状をもって形成する。
【００３４】
本考案の前記多目的熱交換器本体ａは、主として円柱形状にして使用する。
【００３５】
そして、前記多目的熱交換器本体aが多目的に使用される理由は、容器内に前記熱交換器本体aを予め入れておき湯水を注入し蓄熱せしめ、所定時間後取出してタオル等に包み込んで湯たんぽの代用として使用したり、あるいは前記多目的熱交換器本体aを所定時間冷却させた後、身体のかゆい部位に当ててかゆみを止めたり、あるいは風邪を引いたときに、前記同様に冷却した後、額に当てて熱を下げたり、あるいは身体がばてたとき、前記同様に冷却した後、身体のばてた部位に当てて体調を良好にしたり、あるいは前記同様冷却した後、目の疲労時に瞼の上部に乗せてから顳へと移動して目の疲労を除去することができることから「多目的」という名称を付した所以である。
【００３６】
さらに、前記多目的熱交換器本体aの上面部２は、前記上面部２を形成する外周縁部４より内側方に傾斜する凹形状部２aを形成する。この形状によって、皮膚面に沿ってぴったりと密着する。
【００３７】
また前記熱交換本体aの上面部２の内側中央部に、凹溝５を形成する。
【００３８】
この凹溝５は、冷たい空気が充満されているので、前記多目的熱交換器本体aが皮膚へ所定時間当てた後、離脱させる際に冷たい空気によって前記熱交換器本体aと皮膚との離脱が容易となる。
【００３９】
図において６は、前記熱交換器本体aの外側壁面部１と底面部３の２面部に貼付したシートであり、その目的は、前記熱交換器本体aに蓄熱もしくは蓄冷された熱気もしくは冷気の放散を防止するための放散防止用シートである。
【００４０】
そして、前記シート６の材料は、塩化ビニール製等のものを使用する。
【００４１】
また、前記シート６面には、使用方法等の説明文字を付記して製品の使用を容易にする。
＜使用方法１．湯たんぽとして＞
【００４２】
前記多目的熱交換器本体aを湯たんぽとして使用する方法は以下のとおりである。
【００４３】
前記多目的熱交換器本体aをマグカップの中に入れ、約１００℃のお湯を入れる。つぎに１分間温めたら箸などで押さえお湯を捨てる。あとは乾いたタオルで包めば湯たんぽの出来上がりである。
【００４４】
近年、胃腸の弱いお子さんが多いと聞いている。そんなお子さんには体を仰向けに寝かせ、タオルで包んだ前記熱交換器本体aで直接お腹の上を万遍なく撫でてあげる。かかる動作によって胃腸の動きが活発化する。こんな些細なことが親子のスキンシップとなる。子供に当てるときは自分の頬に当ててみて熱いと感じるのは駄目である。温かいと感じる程度で丁度いい。
＜使用方法の２．かゆみ止めとして＞
【００４５】
前記多目的熱交換器本体ａの特徴としては下記の点（効果）がある。
【００４６】
前記多目的熱交換器本体aを丼一杯の氷に小さな前記アルミブロック状の熱交換器本体aを付け1分間冷却する。冷却後身体の所定の部位に当ててやり、これを３，４回繰り返すと氷は前部溶けて５，６分位で水となる。水では冷却出来ないのですぐに他の氷を入替え使用する。それほど熱交換器本体ａには、熱を吸い取る力があることが判明した。
【００４７】
人間は４０℃の高熱が続くと脳が損傷を受けることもあると云われている。もしも、万一重い後遺症を受けると長く苦しい人生を送らなければならない。本考案の前記多目的熱交換器本体ａは、薬品を使わず熱を下げるものである。
【００４８】
前記多目的熱交換器本体ａは、人の体に押し付けると、すぐに人の温度に変化する。その際熱交換器本体ａが冷却されていると、相手側に冷たさを移し、相手の熱を吸収するのである。従って前記熱交換器本体ａを１分間冷却し、５分間使用する。熱の下がるまで繰り返し行う。病気に対し素人の誤った判断は非常に危険なので、医師にこの前記熱交換器をお見せして先生の診断にお任せ頂きたい。この熱交換器は熱を下げるための補助として使用するとより良い効果を発揮するとして開発したものである。
【００４９】
前記多目的熱交換器本体ａを身体のかゆみ止めに使用するときの使用方法を示すと以下のとおりである。
【００５０】
例えば、子供のアレルギーからくるかゆみ、お年寄りの皮膚の老化によるかゆみ、男性の陰菌によるかゆみ等かゆみは突然やってくる。指の爪で掻くとかゆみは益々増幅して血が出るまで掻いてしまう。
【００５１】
かゆみの発生しやすい冬場は、お風呂上りや布団に入り温かくなると発生する。
【００５２】
そこで、小皿に保冷剤または氷をとり１分間前記多目的熱交換器本体aを乗せ（すぐ冷たくなる）、かゆい所にペタンと当ててやる。かゆみは冷却すると治まるが、寒い冬にはどのような冷却方法があるのかわからないが、かゆい所にだけ当て長くて５分でかゆみは治まる。
【００５３】
本考案の熱交換器本体aは、冬でも保冷剤か氷の上に乗せ冷やして使うようにする。脳が冷たさを痛さと感じる事でかゆいから掻けという指令をストップさせる。
【００５４】
また、腹部のかゆみ止めの場合は、市販の塗り薬にまかせ決して冷却してかゆみを止めることをしてはならない。さらに腹部を冷却することは、胃や腸の活躍を阻害するので、前記熱交換器本体aを冷却して使用しない。
【００５５】
そして、本考案の熱交換器本体aを冷却する場合は、冷凍庫に入れ冷凍することはしないこと。もしも前記冷凍庫に入れ冷凍したものを使用すると、低温やけどをする。また、皮膚を傷つけるので氷の上に乗せて冷却する。
【００５６】
以上が身体のかゆみ止めの使用方法である。
＜使用方法の３．風邪などによる熱冷ましとして＞
【００５７】
前記多目的熱交換器本体aを風邪などを引いたとき熱冷ましとして使用するときの使用方法は以下のとおりである。
【００５８】
風邪などによる初期症状は、寒気がしたり、くしゃみが出たりなどである。
【００５９】
前記多目的熱交換器本体aを、冷やした保冷剤や氷の上に１分間乗せ冷たくしてやる。しかる後、額に当ててやる。そして、前記本体aを約５分で外し、冷やしておいたもう１個と交換する。氷や他の冷たくする物は、その物の冷たさで徐々に熱を下げようとする。前記熱交換器本体aがアルミの特殊性（熱伝導性）として小さな前記熱交換器本体aは、より大きな物体の熱にすぐ代わる。その際、相手の熱を素早く取り込むと同時に、小さな前記熱交換器本体aの持っている冷たさを相手に移し替えるため、急速に熱が下がる。ぼーっとしている所に、ひんやり冷たく熱が下がっていくと気持ちよく感じる。
【００６０】
人間は平均体温より１度上昇すると身体がだるいという感じがする。２度上昇すると病院に直行しなければならない。ただ熱を下げればいいと考えるのは愚かなことであり、熱の上昇した原因がなんなのか、原因が分からなければ医師の診断を仰がなければならない。合併症を引き起こし最悪な状態で病院に駆け込むのは避けなければならない。病気には早めの対応が必要である。
【００６１】
従って、熱が下がらない場合は、すぐに掛り付けの病院で受診すること。考案者の主治医によると、下げようとしても下がらない熱があるとのこと。１５〜２０分試してみても効果のみられない場合は早急に掛り付けの病院に行くこと。何事も初期対応が肝心である。
【００６２】
さらに、本考案の前記多目的熱交換器本体aは、頻繁に入れ替え使用するため、ベルト等の手数の掛るものはむしろ使わない方がよい。そして、額を冷して熱を下げようとする場合は、前記額に前記熱交換器本体aを乗せた後、水をよく絞ったタオルを上に乗せた方が良い。
＜使用方法の４．熱中症対策として＞
【００６３】
前記多目的熱交換器本体aを熱中症対策として使用する方法は以下のとおりである。
【００６４】
学校の体育授業の際には、あらかじめ氷を用意して本考案の熱交換器本体aを冷やしておき、身体がバテた生徒の顔や頬に当て熱交換をお勧めする。
【００６５】
額の熱冷ましには、ゴム入りのヘアバンドで止めるか、前記熱交換器本体aの上に濡れたタオルを置いて使用するとよい。
＜使用方法の５．目の疲れ取りとして＞
【００６６】
前記多目的熱交換器本体aを目の疲労取りに使用することもできる。
【００６７】
目の疲れには、冷たくした熱交換器本体aを両手で持ち１分間瞼の上に乗せてから顳へとずらしてやる。その際顳は色々な神経が交差しているのでこの部分を冷やすことで頭がすっきりする。
【符号の説明】
【００６８】
ａ    多目的熱交換器本体  
１    外側壁面部
２    上面部
２a   凹形状部
３    底面部
４    外周縁部
５    凹溝部
６    シート
【図１】
0003180328.tif 000003
【図２】
0003180328.tif 000004
【図３】
0003180328.tif 000005
【図４】
0003180328.tif 000006
【図５】
0003180328.tif 000007
【図６】
0003180328.tif 000008